(57)【要約】【課題】立ち上がり部の防水性能を長期に亘って維持することのできる防水構造を提供する。【解決手段】  床面に平行な平面に対して立設する立ち上がり部に設けられた防水構造である。防水構造は、平面から立ち上がり部に向けて延在する第一防水シートと、立ち上がり部における第一防水シートの上方から垂下し、下端部が第一防水シートに重なる第二防水シートと、第一防水シート及び第二防水シートが重なった積層領域に重なって当該領域を押さえる押さえ部と、押さえ部が積層領域を押圧するように、押さえ部、第一防水シート及び第二防水シートを積層領域で係止する係止部材とを備えている。【選択図】図１
2014034809.tif 000002
【特許請求の範囲】
【請求項１】
床面に平行な平面に対して立設する立ち上がり部に設けられた防水構造において、
前記平面から前記立ち上がり部に向けて延在する第一防水シートと、
前記立ち上がり部における前記第一防水シートの上方から垂下し、下端部が前記第一防水シートに重なる第二防水シートと、
前記第一防水シート及び前記第二防水シートが重なった積層領域に重なって当該領域を押さえる押さえ部と、
前記押さえ部が前記積層領域を押圧するように、前記押さえ部、前記第一防水シート及び前記第二防水シートを前記積層領域で係止する係止部材とを備えることを特徴とする防水構造。
【請求項２】
請求項１記載の防水構造において、
前記積層領域では、前記第二防水シートの方が前記第一防水シートよりも外側に配置されていることを特徴とする防水構造。
【請求項３】
請求項１又は２記載の防水構造において、
前記押さえ部には、外側に向けて凸となる突部が設けられていて、
前記突部には、前記積層領域及び前記係止部材を覆うカバーが嵌合していることを特徴とする防水構造。
【請求項４】
請求項３記載の防水構造において、
前記押さえ部は、前記第一防水シート及び前記第二防水シートが重なることにより形成された前後の不睦をそのまま押さえるように取り付けられ、
前記カバーは、前記突部に対する嵌合量を調整することで水平方向に真っ直ぐ取り付けられていることを特徴とする防水構造。
【請求項５】
請求項１〜４のいずれか一項に記載の防水構造において、
前記第二防水シートの上部は、構造体によって前記立ち上がり部に押さえつけられていることを特徴とする防水構造。
【請求項６】
請求項１〜５のいずれか一項に記載の防水構造において、
前記第二防水シートにおける前記積層領域直上部分は、上部から下部にかけて徐々に外側に広がる傾斜面となっていることを特徴とする防水構造。
【発明の詳細な説明】
【技術分野】
【０００１】
本発明は、防水構造に係り、特に建物の立ち上がり部の防水構造に関する。
【背景技術】
【０００２】
従来、例えばバルコニーなど建物の立ち上がり部においては、バルコニーの床面と立ち上がり部との防水性を確保するため、防水構造が適用されている。この防水構造においては、床側の防水シートと、立ち上がり側の防水シートとが分割されていて、これらの防水シートをシール上に接合することによって防水性を確保している（例えば特許文献１参照）。
【先行技術文献】
【特許文献】
【０００３】
【特許文献１】特開２００３−２５３８３３号公報
【発明の概要】
【発明が解決しようとする課題】
【０００４】
しかしながら、上述の防水構造であると、床側の防水シートと立ち上がり側の防水シートとがシール上に接合されているだけであるので、時間の経過に伴って両者が剥離してしまうおそれがあり、長期に亘って防水性能を発揮できないおそれがあった。
このため、本発明の課題は、立ち上がり部の防水性能を長期に亘って維持することのできる防水構造を提供することである。
【課題を解決するための手段】
【０００５】
請求項１に記載の発明は、例えば図１に示すように、
床面に平行な平面２に対して立設する立ち上がり部３に設けられた防水構造１において、
前記平面２から前記立ち上がり部３に向けて延在する第一防水シート４と、
前記立ち上がり部３における前記第一防水シートの上方から垂下し、下端部が前記第一防水シートに重なる第二防水シート５と、
前記第一防水シート４及び前記第二防水シート５が重なった積層領域Ｒに重なって当該領域Ｒを押さえる押さえ部６と、
前記押さえ部６が前記積層領域Ｒを押圧するように、前記押さえ部６、前記第一防水シート４及び前記第二防水シート５を前記積層領域Ｒで係止する係止部材８とを備えることを特徴としている。
【０００６】
請求項１記載の発明によれば、第一防水シート４と第二防水シート５が重なった積層領域Ｒを、係止部材８によって押さえ部６が押圧しているので、第一防水シート４と第二防水シート５とが剥離してしまうことを防止することができる。したがって、立ち上がり部３の防水性能を長期に亘って維持することができる。
【０００７】
請求項２記載の発明は、請求項１記載の防水構造において、例えば図１に示すように、
前記積層領域Ｒでは、前記第二防水シート５の方が前記第一防水シート４よりも外側に配置されていることを特徴としている。
【０００８】
請求項２記載の発明によれば、第一防水シート４の上方から垂下する第二防水シート５が積層領域Ｒでは第一防水シート４よりも外側に配置されているので、第一防水シート４と第二防水シート５の境目が下側を向くことになる。これにより、第二防水シート５の表面を流れた水が第一防水シート４と第二防水シート５の境目に浸入することを防止することができる。
【０００９】
請求項３記載の発明は、請求項１又は２記載の防水構造において、例えば図１に示すように、
前記押さえ部６には、外側に向けて凸となる突部６２が設けられていて、
前記突部６２には、前記積層領域Ｒ及び前記係止部材８を覆うカバー９が嵌合していることを特徴としている。
【００１０】
請求項３記載の発明によれば、押さえ部６に設けられた突部６２に、積層領域Ｒ及び係止部材８を覆うカバー９が勘合しているので、このカバー９によって、第一防水シート４と第二防水シート５との境目に水が浸入してしまうことをより防止することができる。
【００１１】
請求項４記載の発明は、請求項３記載の防水構造において、例えば図１に示すように、
前記押さえ部６は、前記第一防水シート４及び前記第二防水シート５が重なることにより形成された前後の不睦をそのまま押さえるように取り付けられ、
前記カバー９は、前記突部６２に対する嵌合量を調整することで水平方向に真っ直ぐ取り付けられていることを特徴としている。
【００１２】
請求項４記載の発明によれば、第一防水シート４及び第二防水シート５が重なることにより形成された前後の不睦をそのまま押さえるように押さえ部６が取り付けられているので、第一防水シート４及び第二防水シート５の密着性を高めることができ、より高い防水性を発揮することができる。
また、突部６２に対する嵌合量を調整することでカバー９が水平方向に真っ直ぐ取り付けられているので、第一防水シート４及び第二防水シート５が重なることにより形成された前後の不睦を水平に押さえることができる。したがって、第一防水シート４及び第二防水シート５の密着性をより高めることができる。
【００１３】
請求項５記載の発明は、請求項１〜４のいずれか一項に記載の防水構造において、例えば図１に示すように、
前記第二防水シート５の上部は、構造体１６によって前記立ち上がり部３に押さえつけられていることを特徴としている。
【００１４】
請求項５記載の発明によれば、第二防水シート５の上部が構造体１６によって立ち上がり部３に押さえつけられているので、第二防水シート５と構造体１６とが密着する。したがって、第二防水シート５と構造体１６との境目から水が浸入してしまうことを防止することができる。
【００１５】
請求項６記載の発明は、請求項１〜５のいずれか一項に記載の防水構造において、例えば図１に示すように、
前記第二防水シート５における前記積層領域Ｒ直上部分は、上部から下部にかけて徐々に外側に広がる傾斜面５１となっていることを特徴としている。
【００１６】
請求項６記載の発明によれば、第二防水シート５における積層領域Ｒ直上部分が、上部から下部にかけて徐々に外側に広がる傾斜面５１となっているので、この部分に水が溜まってしまうことを防止することができる。
【発明の効果】
【００１７】
本発明によれば、立ち上がり部の防水性能を長期に亘って維持することが可能となる。
【図面の簡単な説明】
【００１８】
【図１】本実施形態に係る防水構造の概略構成を示す側断面図である。
【図２】本実施形態に係る平面及び立ち上がり部が直線的に形成された場合の押さえ部及びカバーを示す斜視図である。
【図３】本実施形態に係る平面及び立ち上がり部が出隅部に形成された場合の押さえ部及びカバーを示す斜視図である。
【図４】本実施形態に係る平面及び立ち上がり部が出隅部に形成された場合の押さえ部及びカバーを示す斜視図である。
【図５】本実施形態に係る平面及び立ち上がり部が入隅部に形成された場合の押さえ部及びカバーを示す斜視図である。
【図６】本実施形態に係る平面及び立ち上がり部が入隅部に形成された場合の押さえ部及びカバーを示す斜視図である。
【図７】図１の防水構造の変形例を示す側断面図である。
【図８】図１の防水構造の変形例を示す側断面図である。
【図９】図１の防水構造の変形例を示す側断面図である。
【発明を実施するための形態】
【００１９】
以下、図面を参照して本発明の実施の形態について説明する。
図１は本実施形態に係る防水構造の概略構成を示す側断面図である。図１に示すように、防水構造１は、建物の床面に平行な平面２に対して立設する立ち上がり部３に設けられている。ここで、図１においては立ち上がり部３としてバルコニーユニットを例示し、平面２としてはバルコニー内部の床面を例示している。
【００２０】
そして、防水構造１には、平面２から立ち上がり部３に向けて延在する第一防水シート４が設けられている。第一防水シート４は、一端部が平面２に重なるとともに、他端部が立ち上がり部３の下端部に重なるように、途中で垂直に折り曲げられている。第一防水シート４の裏面側にはシール剤が積層されていて、平面２及び立ち上がり部３に接着されている。第一防水シート４の表面側の上端部には、上方に延出する板材４２が一体的に固定されている。この板材４２の表面には、第一防水シート４の上部に連続するように補助シート４３が貼付されている。
【００２１】
また、防水構造１には、立ち上がり部３における第一防水シート４の上方から垂下し、下端部が第一防水シート４に重なる第二防水シート５が設けられている。第二防水シート５の上部には、例えば壁パネルなどの構造体１６がネジ７によって固定されている。これにより、第二防水シート５の上部が構造体１６によって立ち上がり部３に押さえつけられる。第二防水シート５の下端部は、補助シート４３の下端まで重なっている。この第一防水シート４及び第二防水シート５が重なった領域を積層領域Ｒと称す。積層領域Ｒでは、第二防水シート５の方が第一防水シート４よりも外側に配置されている。第二防水シート５の裏面にはシール剤が積層されていて、立ち上がり部３及び補助シート４３に接着されている。第二防水シート５における積層領域Ｒの直上部分は、上部から下部にかけて徐々に外側に広がる傾斜面５１となっている。
【００２２】
また、防水構造１には、積層領域Ｒを押さえる押さえ部６が設けられている。この押さえ部６には、板材４２及び補助シート４３に重なる押さえ上部６１と、押さえ上部６１の下端部から外側に向かって凸となる突部６２と、突部６２の下端部から下方に延在し、積層領域Ｒに重なる押さえ下部６３とが設けられている。
【００２３】
また、防水構造１には、押さえ部６が積層領域Ｒを押圧するように、押さえ部６、第一防水シート４及び第二防水シート５を積層領域Ｒで係止する係止部材８が設けられている。具体的には、係止部材８は例えばネジであり、この係止部材８を押さえ部６の押さえ上部６１、補助シート４３、板材４２及び立ち上がり部３に螺入することで、押さえ部６を積層領域Ｒに押さえつけつつ固定している。これにより、押さえ部６は、第一防水シート４及び第二防水シート５が重なることにより形成された前後の不睦をそのまま押さえるように取り付けられる。
そして、押さえ部６の突部６２には、積層領域Ｒ及び係止部材８を覆うカバー９が前後方向（図１における左右方向）に調整自在に嵌合している。カバー９は、押さえ部６の突部６２に対する嵌合量を調整することで水平方向に真っ直ぐ取り付けられている。
カバー９の上部は構造体１６の近傍まで延在し、カバー９の下部は積層領域Ｒを覆い隠す程度まで下方に延在している。
【００２４】
ここで、図１では防水構造１を側断面図として示しているが、実際には平面２及び立ち上がり部３の全長に亘って適用されている。平面２及び立ち上がり部３が直線的に形成されている場合もあれば、出隅部や入隅部に形成されている部分もある。以下に、これらの場合に最適化された押さえ部６及びカバー９を説明する。
【００２５】
図２は、平面２及び立ち上がり部３が直線的に形成された場合の押さえ部６及びカバー９を示す斜視図である。図２に示すように、直線状の押さえ部６に対して直線状のカバー９を嵌合させることで防水構造１が形成されている。
【００２６】
図３、図４は、平面２及び立ち上がり部３が出隅部に形成された場合の押さえ部６及びカバー９を示す斜視図である。図３に示すように、一対の直線状の押さえ部６を出隅部のそれぞれの辺に取り付けてから、その一対の押さえ部６により形成された角部を覆うように出隅役物９１を取り付ける。その後、図４に示すように出隅役物９１の両側方に直線状のカバー９を取り付ける。
【００２７】
図５、図６は、平面２及び立ち上がり部３が入隅部に形成された場合の押さえ部６及びカバー９を示す斜視図である。図５に示すように、一対の直線状の押さえ部６を入隅部のそれぞれの辺に取り付けてから、その一対の押さえ部６のそれぞれに直線状のカバー９を取り付ける。その後、図６に示すように、カバー９により形成された角部を覆うように入隅部材９２を取り付ける。
【００２８】
以上のように本実施形態によれば、第一防水シート４と第二防水シート５とが重なった積層領域Ｒを、係止部材８によって押さえ部６が押圧しているので、第一防水シート４と第二防水シート５とが剥離してしまうことを防止することができる。したがって、立ち上がり部３の防水性能を長期に亘って維持することができる。
【００２９】
また、第一防水シート４の上方から垂下する第二防水シート５が積層領域Ｒでは第一防水シート４よりも外側に配置されているので、第一防水シート４と第二防水シート５の境目が下側を向くことになる。これにより、第二防水シート５の表面を流れた水が第一防水シート４と第二防水シート５の境目に浸入することを防止することができる。
また、押さえ部６に設けられた突部６２に、積層領域Ｒ及び係止部材８を覆うカバー９が勘合しているので、このカバー９によって、第一防水シート４と第二防水シート５との境目に水が浸入してしまうことをより防止することができる。
また、第二防水シート５の上部が構造体１６によって立ち上がり部３に押さえつけられているので、第二防水シート５と構造体１６とが密着する。したがって、第二防水シート５と構造体１６との境目から水が浸入してしまうことを防止することができる。
また、第二防水シート５における積層領域Ｒ直上部分が、上部から下部にかけて徐々に外側に広がる傾斜面５１となっているので、この部分に水が溜まってしまうことを防止することができる。
【００３０】
また、第一防水シート４及び第二防水シート５が重なることにより形成された前後の不睦をそのまま押さえるように押さえ部６が取り付けられているので、第一防水シート４及び第二防水シート５の密着性を高めることができ、より高い防水性を発揮することができる。
また、突部６２に対する嵌合量を調整することでカバー９が水平方向に真っ直ぐ取り付けられているので、第一防水シート４及び第二防水シート５が重なることにより形成された前後の不睦を水平に押さえることができる。したがって、第一防水シート４及び第二防水シート５の密着性をより高めることができる。
【００３１】
なお、上記実施形態では、立ち上がり部３としてバルコニーユニットを例示した場合を示しているが、その他の立ち上がり部に対しても防水構造１を適用することは可能である。例えば、図７はサッシ枠１０が取り付けられる下地材を立ち上がり部３Ａとし、この立ち上がり部３Ａに対して防水構造１Ａを適用した場合を示している。なお、以下の説明において、上記実施形態と同一部分については同一の符号を付しその説明を省略している。
図７に示すように、第二防水シート５は、構造体であるサッシ枠１０によって立ち上がり部３Ａに押さえつけられている。また、図１の場合では板材４２と立ち上がり部３との間には隙間が形成されていたが、この図７の場合では板材４２と立ち上がり部３との間を埋めるように第一防水シート４が上方まで延在している。板材４２と立ち上がり部３と隙間が第一防水シート４によって埋められることで、係止部材８による固定が安定することになる。
【００３２】
その他の立ち上がり部としてはパラペットなどが挙げられる。図８はパラペットを立ち上がり部３Ｂとし、この立ち上がり部３Ｂに対して防水構造１Ｂを適用した場合を示している。この防水構造１Ｂの第一防水シート４は、床面に平行な図示しない平面から立ち上がり部３Ｂに向けて延在している。そして、第二防水シート５の上端部は、立ち上がり部３Ｂに取り付けられた構造体１５によって立ち上がり部３Ｂの上面に押しつけられている。
【００３３】
また、上記実施形態では、１つの係止部材８でのみ第一防水シート４を立ち上がり部３に固定した場合を例示して説明したが、より多くの係止部材で第一防水シート４を立ち上がり部３に固定してもよい。図９は、第一防水シート４をより強固に立ち上がり部３に固定した防水構造１Ｃを示す側断面図である。図９に示すように、防水構造１Ｃでは、第一防水シート４を板材４２及び補助シート４３よりも上方へはみ出すように、延在させている。そして、第一防水シート４における板材４２及び補助シート４３からはみ出した部分に対して、例えばネジなどの係止部材８１を螺入し、立ち上がり部３と固定する。これにより、第一防水シート４及び立ち上がり部３をより強固に固定することができる。
【符号の説明】
【００３４】
１      防水構造
２      平面
３      立ち上がり部
４      第一防水シート
５      第二防水シート
６      押さえ部
７      ネジ
８      係止部材
９      カバー
５１      傾斜面
６２      突部
Ｒ      積層領域
【図１】
2014034809.tif 000003
【図２】
2014034809.tif 000004
【図３】
2014034809.tif 000005
【図４】
2014034809.tif 000006
【図５】
2014034809.tif 000007
【図６】
2014034809.tif 000008
【図７】
2014034809.tif 000009
【図８】
2014034809.tif 000010
【図９】
2014034809.tif 000011